(57)【要約】  【課題】ピッキングを容易に検知して防犯装置を確実に作動させる。  【解決手段】扉１はシリンダ錠の鍵穴４を有し、鍵穴４の奥部に、合鍵７の先端部を検出する光学センサ１０を設ける。光学センサ１０には、鍵穴１５にピッキング工具を挿入した際に鳴動する防犯ブザー２を接続する。防犯ブザー２は光学センサ１０から検出信号を入力すると警報不能な状態になる。光学センサ１０と防犯ブザー２は、施錠と同時に作動可能なセキュリティ・オン状態になる。【選択図】  図３
2007132135.tif 000002
【特許請求の範囲】
【請求項１】
扉の鍵穴にピッキング工具を入れて解錠又は解錠後開扉した際に警報を発する警報器を備えて成るピッキング防犯装置であって、前記鍵穴の奥部に、合鍵の先端部を検出する検出器を設けると共に、該検出器に前記警報器を接続し、該警報器は、前記検出器からの検出信号に基づき警報不能な状態に切り換わるように構成したことを特徴とするピッキング防犯装置。
【請求項２】
上記検出器が光学センサなどの無接触式センサであることを特徴とする請求項１記載のピッキング防犯装置。
【請求項３】
上記検出器及び警報器は、施錠と同時に作動可能な状態に設定されることを特徴とする請求項１又は２記載のピッキング防犯装置。
【請求項４】
上記合鍵の先端部には、上記検出器と対峙するトリガー部が突設されていることを特徴とする請求項１，２又は３記載のピッキング防犯装置。
【発明の詳細な説明】
【技術分野】
【０００１】
本発明は、ピッキング防犯装置に関するものであり、特に、正規の合鍵以外の特殊な工具等を用いて不正解錠したときに警報を発するようにしたピッキング防犯装置に関するものである。
【背景技術】
【０００２】
従来、此種ピッキング防犯装置としては、鍵穴の近傍に合鍵又は特殊な工具（ピッキング工具という）の解錠音を検出するセンサと、該解錠音に基づき合鍵又はピッキング工具のいずれであるかを判定する判定部とを備え、解錠音がピッキング工具に基づくものと判定された場合に防犯ブザーを鳴動させるようにしたものが知られている（例えば、特許文献１参照）。
【特許文献１】特開示２００３−０４４９４７号
【発明の開示】
【発明が解決しようとする課題】
【０００３】
上記ピッキング時の音を感知する従来装置では、例えば解錠音が小さい場合には、解錠音の検出が困難になり、ピッキングで解錠されても防犯ブザーが鳴動しないことがある。また、解錠音を検出したときでも、ピッキング工具または合鍵のいずれによって解錠音が発生したものかを正確に判断することが困難な場合がある。その結果、防犯ブザーが誤動作することがあり、ピッキングによる盗難、住居侵入を確実に防止できないという問題があった。
【０００４】
そこで、ピッキング工具による不法解錠を容易に検出し、警報器が誤動作することなく、ピッキングによる盗難等を確実に防止できるようにするために解決すべき技術的課題が生じてくるのであり、本発明はその課題を解決することを目的とするものである。
【課題を解決するための手段】
【０００５】
本発明は上記目的を達成するために提案されたものであり、請求項１記載の発明は、扉の鍵穴にピッキング工具を入れて解錠又は解錠後開扉した際に警報を発する警報器を備えて成るピッキング防犯装置であって、前記鍵穴の奥部に、合鍵の先端部を検出する検出器を設けると共に、該検出器に前記警報器を接続し、該警報器は、検出器からの検出信号に基づき警報不能な状態に切り換わるように構成したピッキング防犯装置を提供する。
【０００６】
この構成によれば、扉の鍵穴に正規の合鍵が挿入された場合は、合鍵の先端部を検出器により検出して、該検出信号が警報器に送信され、該警報器は前記検出信号に基づき作動不能な状態に切り換わる。よって、合鍵で解錠したときは、警報器からの警報が発せられない。一方、ピッキング工具で不法解錠したときは、警報器は警報動作可能な状態が維持されるので、解錠又は解錠後開扉した際に、警報器から警報が発せられる。
【０００７】
請求項２記載の発明は、上記検出器が光学センサなどの無接触式センサである請求項１記載のピッキング防犯装置を提供する。
【０００８】
この構成によれば、鍵穴に合鍵が挿入されると、合鍵の先端部が光学センサなどにより無接触で検出されるので、合鍵の解錠動作に何らの支障も与えずに、施錠状態の解除が実行される。
【０００９】
請求項３記載の発明は、上記検出器及び警報器は、施錠と同時に作動可能な状態に設定される請求項１又は２記載のピッキング防犯装置を提供する。
【００１０】
この構成によれば、合鍵又はその他の手段で施錠すると、検出器及び警報器の双方が作動可能な状態、すなわち、ピッキング工具による不正解錠をチェックできる状態（セキュリティ・オン状態という）に設定される。
【００１１】
請求項４記載の発明は、上記合鍵の先端部には、上記検出器と対峙するトリガー部が突設されていることを特徴とする請求項１，２又は３記載のピッキング防犯装置を提供する。
【００１２】
この構成によれば、解錠時に合鍵を鍵穴に挿入すると、合鍵の先端側に設けられているトリガー部が検出器と近接対峙して、検出器によりトリガー部を検出し、該検出信号が警報器に送信されることとなる。
【発明の効果】
【００１３】
請求項１記載の発明によれば、合鍵以外の不正なピッキング工具を鍵穴に挿入して、解錠または開扉が行われると、ピッキング時の音の大小に関係なく、警報器からの警報が確実に実行されるので、従来のように誤動作の恐れがなく、不正解錠による盗難、住居侵入を確実に防止することができる。
【００１４】
請求項２記載の発明は、光学センサなどの無接触式センサにより合鍵の先端部を無接触で検出するので、請求項１記載の発明の効果に加えて、合鍵の解錠動作をスムーズに操作することができる。
【００１５】
請求項３記載の発明は、合鍵の施錠操作と同時に、不正解錠を監視できるセキュリティ・オン状態に設定されるので、請求項１又は２記載の発明の効果に加えて、施錠する毎に手動でセキュリティ・オン状態に設定する煩わしさが省けると共に、セキュリティ・オン状態の設定忘れを防止することができる。
【００１６】
請求項４記載の発明は、検出器は、合鍵の先端側に設けられているトリガー部と近接対峙するので、請求項１，２又は３記載の発明の効果に加えて、構成が簡単でありながら、検出器による合鍵の検出精度が向上するという特有の効果を有する。
【発明を実施するための最良の形態】
【００１７】
本発明は、ピッキングにより不法解錠を容易に検出し、警報器が誤動作することなく、ピッキングによる盗難、住居侵入を確実に防止するという目的を、扉の鍵穴にピッキング工具を入れて解錠又は解錠後開扉した際に警報を発する警報器を備えて成るピッキング防犯装置であって、前記鍵穴の奥部に、合鍵の先端部を検出する検出器を設けると共に、該検出器に前記警報器を接続し、該警報器は、検出器からの検出信号に基づき警報不能な状態に切り換わるように構成したことにより実現した。
【実施例】
【００１８】
本実施例は、ピッキングにより盗難が生じたときに、防犯ブザー、警報ランプなどの警報器を確実に起動して通報できるセキュリティシステムを実現する。合鍵で解錠するときは、警報器を警報不能にする。具体的には、「合鍵」であることをセンサ（警報器用解除スイッチ）で検知して、該センサ信号を警報器に送る。センサとしては無接触式の赤外線センサ、紫外線センサ、可視光センサ、遠赤外線センサなどの光学センサ、あるいは近接スイッチ（磁気型、電磁型、静電容量型）などが好ましく、該センサは、鍵シリンダー筒内部において鍵部（マグネット式鍵部も含む）よりも奥側に設置する。又、合鍵の先端部周面には、被検出部であるトリガー部を形成する。
【００１９】
センサが光学センサの場合、発光素子、受光素子より光学を発光、受光することによって、施錠時にセキュリティ・オン状態を確保する。例えば、家人が正規の合鍵で解錠する際は、光学センサで合鍵の先端側に設けられているトリガー部を感知して、該センサから警報器へ検出信号を送信し、該警報器による警報を不能な状態にする。一方、不審者がピッキング工具で解錠したときは、警報器を起動させて警報を発する。
【００２０】
以下、好適な一実施例について、図面を参照しつつ詳述する。図１は本実施例に係るピッキング防犯装置が設置された扉を示す正面図、図２は図１のピッキング防犯装置を取り付けた鍵穴に合鍵を挿入する前の状態を説明する要部構成図、図３は鍵穴に合鍵を挿入した状態を説明する要部構成図、図４は図１のピッキング防犯装置の動作を説明するフローチャートである。
【００２１】
図１において、１は集合住宅や一軒家の玄関などに設けられた開閉可能な扉であり、扉１の近傍又は玄関内側その他任意の箇所には防犯ブザー２が取り付けられている。該防犯ブザー２は、不正解錠時に警報音を発生させる。前記扉１の所定箇所には把手３が取り付けられ、該把手３の上側にはシリンダ錠の鍵穴４が設けられている。
【００２２】
扉１は扉枠５に取り付けられ、扉枠５の鍵穴４と対応する箇所にはロック穴（図示省略）が形成されている。扉１の鍵穴４と対応する箇所には、ロック穴に離脱可能に掛合する扉用ロック部材６が設けられ、ロック部材６は、シリンダ錠の合鍵７による施錠操作、解錠操作に応じて、ロック穴に対しロック位置（施錠状態）、アンロック位置（解錠状態）に動作する。ロック部材６の動作位置は、扉枠５側に設けられた扉開閉センサ（施錠・解錠状態検出器）８により検出され、該施錠状態信号、解錠状態信号は、後述の防犯ブザー２に内蔵した制御部９に送られる。
【００２３】
扉枠５には光学センサ（フォトインターラプタ）１０の本体部１１が設けられ、本体部１１は扉開閉センサ８の真上に配置されている。本体部１１には光線を発生するための駆動部と、検出部（発光部、受光部）１３からの信号に応じて防犯ブザー２の制御部９にブザー動作可能信号又はブザー動作不能信号を出力する出力部とが内蔵され、本体部11は配線１２を介して検出部１３に接続されている。
【００２４】
図２に示すように、光学センサ１０の検出部１３は鍵穴４の奥端部側に設けられ、検出部１３は発光素子と受光素子を備えている。発光素子は、該発光素子と反対側の鍵穴内壁面１５に向けて光を放射し、内壁面１５からの反射光は、受光素子により受光される。本体部１１は、受光素子に所定の光量が入射されているか否かに応じて、防犯ブザー２の制御部９にブザー動作可能信号及びブザー動作不能信号のいずれかが送信される。
【００２５】
ここで、鍵穴４にピッキング工具（不正な鍵を含む）が挿入された場合、ピッキング工具の先端部は、光学センサ１０の検出部１３と対応する位置まで到達しない。このため、検出部１３にて光線が遮断されないので、受光素子には通常の光量が入射され、防犯ブザー２の制御部９にブザー動作可能信号が送られた状態（セキュリティ・オン状態）が維持される。
【００２６】
これに対して、鍵穴４に正規の合鍵７が挿入された場合、図３に示すように、合鍵７の先端部は、光学センサ１０の検出部１３まで到達する。本実施例では、合鍵７の先端部にトリガー部（被検出部分）１４が形成され、該トリガー部１４は、合鍵挿入時に検出部１３と近接して対峙するように突設されている。
【００２７】
鍵穴４に合鍵７を挿入した際、トリガー部１４が検出部１３に近接対峙すると、受光素子に入射される光量が通常とは異なる。この場合、防犯ブザー２の制御部９にはブザー動作不能信号が送られ、真正の合鍵７が鍵穴４に挿入されたことを検知する。
【００２８】
図１に示すように、防犯ブザー２には光学センサ１０と扉開閉センサ８が並列に回路接続され、これらの検出信号が防犯ブザー２の制御部９に入力される。そして、光学センサ１０から制御部９にブザー動作可能信号が送られている状態、即ち、セキュリティ・オン状態において、扉開閉センサ８から解錠状態信号が入力されると、防犯ブザー２を即座に鳴動させる。しかし、光学センサ１０からブザー動作不能信号が入力されてセキュリティ・オフ状態に切り替わったときは、扉開閉センサ８から解錠状態信号が入力されても、制御部９は防犯ブザー２からの警報音を発生させることはない。
【００２９】
上記構成のピッキング防犯装置において、不審者がピッキング工具などの不正手段を用いて、扉１を不法に開けようとした場合は、防犯ブザー２により警報音が発せられ、犯罪発生の旨を周囲に自動通報する。以下に、ピッキング防犯装置の動作について、図４のフローチャートを参照しつつ、更に詳しく説明する。
【００３０】
スタート時においては、扉閉鎖状態にしてシリンダ錠が施錠され、扉開閉センサ８と防犯ブザー２は作動可能なセキュリティ・オン状態に設定されている。このセキュリティ・オン状態では、光学センサ１０、扉開閉センサ８は防犯ブザー２の制御部９にブザー動作可能信号、施錠状態信号をそれぞれ送信している。
【００３１】
いま、シリンダ錠を解錠すべく、ピッキング工具又は合鍵７を扉１の鍵穴４に挿入する（Ｓ１）と、光学センサ１０の検出部１３により、ピッキング工具又は合鍵７のいずれが挿入されたかを検出する（Ｓ２）。
【００３２】
その結果、鍵穴４に合鍵７が挿入された場合、図３に示すように、合鍵７のトリガー部１４は、光学センサ１０の検出部１３と対応する位置まで到達するため、検出部１３の受光素子には通常の光量と異なる光量が入射される。従って、光学センサ１０の本体部１１は、防犯ブザー２の制御部９にブザー動作不能信号を送り、セキュリティ・オン状態からセキュリティ・オフ状態に切り換える。そのため、合鍵７でシリンダ錠を解錠しても、防犯ブザー２が鳴動することなく、扉１を開くことができる（Ｓ３）。
【００３３】
一方、鍵穴４にピッキング工具が挿入された場合は、該ピッキング工具の先端部がシリンダ錠のタンブラ部１６に位置し、検出部１３と対応する位置まで到達しないため、検出部１３の受光素子には通常の光量が入射される。従って、防犯ブザー２の制御部９には通常どおり、ブザー動作可能信号が送り続けられるので、セキュリティ・オン状態が維持される。その結果、ピッキング工具でシリンダ錠を解錠して扉１を開くと（Ｓ４）、これと同時に、扉開閉センサ８より防犯ブザー２の制御部９に解錠状態信号が送られ、防犯ブザー２から警報音が発せられる（Ｓ５）。
【００３４】
このように、家族などが正規の合鍵７を用いてシリンダ錠を解錠しても、防犯ブザー２からの警報音は発せられないが、不審者等がピッキング工具を用いてシリンダ錠を解錠して、扉１を開放して不法に住居侵入しようとした時は、防犯ブザー２から警報音が発せられるので、不審者の不法侵入を阻止することができる。
【００３５】
この実施例によれば、ピッキング工具等を用いて不法解錠すると、防犯ブザー２が確実に鳴動するので、従来に比べてピッキング防止効率（耐ピッキング性能）が著しく向上し、不正解錠による盗難、不法侵入を確実に防止することができる。また、合鍵７のトリガー部１４は、光学センサ１０により無接触で検出されるので、合鍵７をスムーズに解錠操作できる。更に、例えば、家人が合鍵７で施錠操作すると、セキュリティ・オン状態に自動的に設定されるので、セキュリティ・オン状態の設定忘れをなくすことができる。尚、セキュリティ・オン状態の設定は、タイマーにより所定の時刻に自動的に設定されるように構成することも可能である。
【００３６】
本実施例に於いて、既存のシリンダ錠に光学センサ１０を付設し、正規の合鍵７を備えることによって、ピッキング防止効率を高め、且つ、これらの部材は極めて安価に量産でき、戸建て家屋、アパート、マンション、オフィス、個別部屋などの扉に容易に取り付けることができる。
【００３７】
本発明は、本発明の精神を逸脱しない限り種々の改変を為すことができ、そして、本発明が該改変されたものに及ぶことは当然である。
【図面の簡単な説明】
【００３８】
【図１】本発明の一実施例に係るピッキング防犯装置が適用された扉を示す正面図。
【図２】図１のピッキング防犯装置を取り付けた扉の鍵穴に合鍵を挿入する前の状態を説明する要部構成図。
【図３】同上のピッキング防犯装置を取り付けた扉の鍵穴に合鍵を挿入した状態を説明する要部構成図。
【図４】図１のピッキング防犯装置の動作を説明するフローチャート。
【符号の説明】
【００３９】
１    扉
２    防犯ブザー（警報器）
３    把手
４    鍵穴
５    扉枠
６    ロック部材
７    合鍵
８    扉開閉センサ（施錠・解錠状態検出器）
９    制御部
１０  光学センサ（検出器）
１１  センサの本体部
１２  配線
１３  検出部
１４  トリガー部（被検出部）
１５  内壁面
１６  タンブラ部
【図１】
2007132135.tif 000003
【図２】
2007132135.tif 000004
【図３】
2007132135.tif 000005
【図４】
2007132135.tif 000006